(57)【要約】【課題】  ユーザーが携帯情報装置の表示部を見ている状態でも、ユーザーが周囲の状況を確認することが可能な携帯情報装置および表示制御方法を提供する。【解決手段】  操作部１３が操作されて歩行モードが設定されると、ディスプレイ１２は、カメラ１１が撮影した映像（動画像）を小ウインドウ１２ａに表示し、かつ、電子メール機能に応じた表示を小ウインドウ１２ａと異なる表示領域に表示する。【選択図】      図３
2005136695.tif 000002
【特許請求の範囲】
【請求項１】
撮影部を備えた携帯情報装置であって、
前記撮影部による撮影と異なる所定の機能を実行する所定機能実行部と、
前記所定の機能に応じた表示と前記撮影部によって撮影された動画像とを同時に表示する表示部とを含むことを特徴とする携帯情報装置。
【請求項２】
請求項１に記載の携帯情報装置において、
前記所定機能実行部は、前記所定の機能として、電子メール機能またはインターネット閲覧機能を実行することを特徴とする携帯情報装置。
【請求項３】
請求項１または２に記載の携帯情報装置において、
所定の動作モードが設定されるモード設定部をさらに含み、
前記表示部は、前記所定の動作モードが設定されている場合にのみ、前記所定の機能に応じた表示と前記撮影部によって撮影された動画像とを同時に表示することを特徴とする携帯情報装置。
【請求項４】
請求項１ないし３のいずれか１項に記載の携帯情報装置において、
前記撮影部の被写体までの距離を測定する距離測定部をさらに含み、
前記撮影部は、前記距離測定部が測定した距離に基づいてオートフォーカスを行い、
前記距離測定部が測定した距離に基づいて注意状態を認識する注意状態認識部と、
前記注意状態認識部が前記注意状態を認識した際に警告を発する警告発生部とをさらに含むことを特徴とする携帯情報装置。
【請求項５】
請求項４に記載の携帯情報装置において、
道路交通情報提供部が提供する道路交通情報を受信する受信部をさらに含み、
前記注意状態認識部は、前記距離測定部が測定した距離と前記道路交通情報とに基づいて注意状態を認識することを特徴とする携帯情報装置。
【請求項６】
請求項１ないし３のいずれか１項に記載の携帯情報装置において、
道路交通情報提供部が提供する道路交通情報を受信する受信部と、
前記道路交通情報に基づいて注意状態を認識する注意状態認識部と、
前記注意状態認識部が前記注意状態を認識した際に警告を発する警告発生部とをさらに含むことを特徴とする携帯情報装置。
【請求項７】
請求項４ないし６のいずれか１項に記載の携帯情報装置において、
前記警告発生部は、警告音または警告を通知する音声または振動によって前記警告を発することを特徴とする携帯情報装置
【請求項８】
請求項４ないし６のいずれか１項に記載の携帯情報装置において、
前記警告発生部は、前記警告としての警告表示を行う前記表示部であることを特徴とする携帯情報装置。
【請求項９】
請求項８に記載の携帯情報装置において、
前記表示部は、前記警告表示として、前記注意状態を認識していない場合の前記動画像の画面より大きい画面の前記動画像を用いることを特徴とする携帯情報装置。
【請求項１０】
請求項８に記載の携帯情報装置において、
前記表示部は、前記警告表示と前記動画像とを同時に表示することを特徴とする携帯情報装置。
【請求項１１】
請求項８に記載の携帯情報装置において、
前記表示部は、前記警告表示として、前記動画像の点滅表示を用いることを特徴とする携帯情報装置。
【請求項１２】
請求項１ないし１１のいずれか１項に記載の携帯情報装置において、
加速度センサをさらに含み、
前記撮影部は、前記加速度センサが所定の加速度以上の加速度を検出した際に、静止画を撮影することを特徴とする携帯情報装置。
【請求項１３】
請求項１ないし１２のいずれか１項に記載の携帯情報装置において、
前記撮影部の撮影画像に基づいて周囲の状況を認識する状況認識部をさらに含み、
前記表示部は、前記状況認識部が認識した周囲の状況を表示することを特徴とする携帯情報装置。
【請求項１４】
撮影部を備えた携帯電話装置であって、
前記撮影部による撮影と異なる所定の機能を実行する所定機能実行部と、
前記所定の機能に応じた表示と前記撮影部によって撮影された動画像とを同時に表示する表示部とを含むことを特徴とする携帯電話装置。
【請求項１５】
撮影部を備えた携帯情報装置が行う表示制御方法であって、
前記撮影部による撮影と異なる所定の機能を実行する所定機能実行ステップと、
前記所定の機能に応じた表示と前記撮影部によって撮影された動画像とを同時に表示する表示ステップとを含むことを特徴とする表示制御方法。
【請求項１６】
請求項１５に記載の表示制御方法において、
前記所定機能実行ステップは、前記所定の機能として、電子メール機能またはインターネット閲覧機能を実行することを特徴とする表示制御方法。
【請求項１７】
請求項１５または１６に記載の表示制御方法において、
前記携帯情報装置は所定の動作モードが設定されるモード設定部をさらに含み、
前記表示ステップは、前記所定の動作モードが設定されている場合にのみ、前記所定の機能に応じた表示と前記撮影部によって撮影された動画像とを同時に表示することを特徴とする表示制御方法。
【請求項１８】
請求項１５ないし１７のいずれか１項に記載の表示制御方法において、
前記撮影部の被写体までの距離を測定する距離測定ステップと、
前記距離測定ステップで測定した距離に基づいて前記撮像部のオートフォーカスを行うオートフォーカスステップと、
前記距離測定ステップで測定した距離に基づいて注意状態を認識する注意状態認識ステップと、
前記注意状態認識ステップで前記注意状態を認識した際に警告を発する警告発生ステップとをさらに含むことを特徴とする表示制御方法。
【請求項１９】
請求項１８に記載の表示制御方法において、
道路交通情報提供部が提供する道路交通情報を受信する受信ステップをさらに含み、
前記注意状態認識ステップは、前記距離測定ステップで測定した距離と前記道路交通情報とに基づいて注意状態を認識することを特徴とする表示制御方法。
【請求項２０】
請求項１５ないし１７のいずれか１項に記載の表示制御方法において、
道路交通情報提供部が提供する道路交通情報を受信する受信ステップと、
前記道路交通情報に基づいて注意状態を認識する注意状態認識ステップと、
前記注意状態認識部が前記注意状態を認識した際に警告を発する警告発生ステップとをさらに含むことを特徴とする表示制御方法。
【請求項２１】
請求項１８ないし２０のいずれか１項に記載の表示制御方法において、
前記警告発生ステップは、警告音または警告を通知する音声または振動によって前記警告を発することを特徴とする表示制御方法。
【請求項２２】
請求項１８ないし２０のいずれか１項に記載の表示制御方法において、
前記警告発生ステップは、前記警告としての警告表示を行うことを特徴とする表示制御方法。
【請求項２３】
請求項２２に記載の表示制御方法において、
前記表示ステップは、前記警告表示として、前記注意状態を認識していない場合の前記動画像の画面より大きい画面の前記動画像を用いることを特徴とする表示制御方法。
【請求項２４】
請求項２２に記載の携帯情報装置において、
前記表示ステップは、前記警告表示と前記動画像とを同時に表示することを特徴とする表示制御方法。
【請求項２５】
請求項２２に記載の表示制御方法において、
前記表示ステップは、前記警告表示として、前記動画像の点滅表示を用いることを特徴とする表示制御方法。
【請求項２６】
請求項１５ないし２５のいずれか１項に記載の表示制御方法において、
前記携帯情報装置の加速度を検出する加速度検出ステップと、
前記撮影部は、前記加速度検出ステップで所定の加速度以上の加速度を検出した際に前記撮像部で静止画を撮影する静止画撮影ステップとをさらに含むことを特徴とする表示制御方法。
【請求項２７】
請求項１５ないし２６のいずれか１項に記載の表示制御方法において、
前記撮影部の撮影画像に基づいて周囲の状況を認識する状況認識ステップと、
前記状況認識ステップで認識した周囲の状況を表示する周囲状況表示ステップとをさらに含むことを特徴とする表示制御方法。
【請求項２８】
撮影部を備えた携帯電話装置が行う表示制御方法であって、
前記撮影部による撮影と異なる所定の機能を実行する所定機能実行ステップと、
前記所定の機能に応じた表示と前記撮影部によって撮影された動画像とを同時に表示する表示ステップとを含むことを特徴とする表示制御方法。
【発明の詳細な説明】
【技術分野】
【０００１】
本発明は、携帯情報装置、携帯電話装置およびその表示制御方法に関し、特には、撮影部を備える携帯情報装置、携帯電話装置およびその表示制御方法に関する。
【背景技術】
【０００２】
人はあることに集中してしまうと、周りの状況に気が回らなくなり、周囲の状況の変化に気づきにくくなることがある。そのために、人は、注意していれば避けることができる怪我または事故を起こしてしまうことがある。
【０００３】
例えば、携帯電話機を用いて電子メールまたはインターネットを利用した閲覧を行いながら歩いている人は、段差または障害物、前からくる人、自転車、自動車などの障害物に気づかず、あやうく障害物につまずいて転びそうになったり、障害物にぶつかって怪我をしそうになったりすることがある。
【０００４】
人が歩きながら携帯電話機の操作に集中してしまうことによって生じる事故を防ぐためには、携帯電話機のユーザー自身が、歩きながらの携帯電話機の操作に集中しないように注意することが一番重要であるが、ユーザーが歩きながら携帯電話機を操作しても、携帯電話機がユーザーに周囲の状況を知らせるようにすれば、事故防止の可能性が高くなると考えられる。
【０００５】
特許文献１（特開２００３−２４０８５０号公報）には、障害物検出センサが障害物を検出した際に、障害物が存在している旨を、携帯電話機の表示部に表示したり、音で知らせたり、振動で知らせたりすることにより、携帯電話機のユーザーに危険を知らせる携帯電話機が記載されている。
【０００６】
さらに言えば、特許文献１に記載の携帯電話機は、障害物検出センサが障害物を検出した場合にのみ、危険を知らせる表示を実行したり、音または振動で危険を勧告したりする。
【０００７】
また、特許文献２（特開２００２−３５２３７９号公報）には、通信可能範囲内にある携帯電話端末へ現在の交通信号状態を示す状態情報を送信する交通信号機と、交通信号機が送信した状態情報を解析し、解析した結果に応じた内容（例えば、通行不可能であること）を音声で通知する携帯電話端末とを含む無線通信システムが記載されている。
【特許文献１】特開２００３−２４０８５０号公報
【特許文献２】特開２００２−３５２３７９号公報
【発明の開示】
【発明が解決しようとする課題】
【０００８】
特許文献１に記載の携帯電話機は、障害物センサが障害物を検出したときだけ危険勧告を行うため、障害物センサが障害物として認識しない障害物が存在すると、携帯電話機のユーザーが危険な状況に遭遇する可能性が高い。
【０００９】
特許文献２に記載の無線通信システムで用いられる携帯電話端末は、交通信号機から送信される情報に基づいた内容しか音声で通知できない。したがって、特許文献２に記載の携帯電話端末は、交通信号機から送信される情報に反映されていない状況をユーザーに知らせることができない。
【００１０】
また、携帯電話機のユーザーが携帯電話機を操作しながら歩いているときに発生する可能性のある問題は、障害物を認識できなくなるという問題の他に、目標としていた地点を通り過ぎてしまう可能性があるという問題がある。
【００１１】
携帯電話機のユーザーが、携帯電話機を操作しながら歩いているときに目標としていた地点を通り過ぎてしまう可能性があるという問題は、特許文献１に記載された技術でも解決することはできず、特許文献２に記載された技術でも解決することはできない。
【００１２】
なお、上記問題は、人が携帯電話機を操作しながら歩いているときにだけに生じるのでは、人が携帯情報装置を操作しながら歩いているときにも発生する可能性のある問題である。
【００１３】
本発明の目的は、ユーザーが携帯電話装置等の携帯情報装置の表示部を見ている状態でも、ユーザーが周囲の状況を確認することが可能な携帯情報装置、携帯電話装置および表示制御方法を提供することである。
【課題を解決するための手段】
【００１４】
上記の目的を達成するため、本発明の携帯情報装置は、撮影部を備えた携帯情報装置であって、前記撮影部による撮影と異なる所定の機能を実行する所定機能実行部と、前記所定の機能に応じた表示と前記撮影部によって撮影された動画像とを同時に表示する表示部とを含むことを特徴とする。
【００１５】
また、本発明の携帯電話装置は、撮影部を備えた携帯電話装置であって、前記撮影部による撮影と異なる所定の機能を実行する所定機能実行部と、前記所定の機能に応じた表示と前記撮影部によって撮影された動画像とを同時に表示する表示部とを含むことを特徴とする。
【００１６】
また、本発明の表示制御方法は、撮影部を備えた携帯情報装置が行う表示制御方法であって、前記撮影部による撮影と異なる所定の機能を実行する所定機能実行ステップと、前記所定の機能に応じた表示と前記撮影部によって撮影された動画像とを同時に表示する表示ステップとを含むことを特徴とする。
【００１７】
また、本発明の表示制御方法は、撮影部を備えた携帯電話装置が行う表示制御方法であって、前記撮影部による撮影と異なる所定の機能を実行する所定機能実行ステップと、前記所定の機能に応じた表示と前記撮影部によって撮影された動画像とを同時に表示する表示ステップとを含むことを特徴とする。
【００１８】
本発明の携帯情報装置、本発明の携帯電話装置および本発明の表示制御方法によれば、撮影部によって撮影された動画像が所定の機能に応じた表示と同時に表示されるので、ユーザーは、所定の機能に応じた表示を見ながら、撮影部によって撮影された動画像を見ることができる。
【００１９】
したがって、撮影部が周囲の状況を撮影していれば、ユーザーは携帯電話装置などの携帯情報装置の表示部に表示された所定の機能に応じた表示を見ている状態でも周囲の状況を簡単に確認することができる。よって、ユーザーが携帯電話装置などの携帯情報装置の所定の機能を実行しながら歩いていても、周囲の障害物を確認しやすくなり、また、目標となる地点を見逃す可能性を少なくできる。
【００２０】
また、前記所定の機能は、電子メール機能またはインターネット閲覧機能であることが望ましい。この場合、電子メール機能またはインターネット閲覧機能を行っていても、表示部に表示された動画像を見ることによって、周囲の状況を確認することが可能となる。
【００２１】
また、所定の動作モードが設定されるモード設定部をさらに含み、前記表示部は、前記所定の動作モードが設定されている場合にのみ、前記所定の機能に応じた表示と前記撮影部によって撮影された動画像とを同時に表示することが望ましい。また、前記携帯情報装置は所定の動作モードが設定されるモード設定部をさらに含み、前記表示ステップは、前記所定の動作モードが設定されている場合にのみ、前記所定の機能に応じた表示と前記撮影部によって撮影された動画像とを同時に表示することが望ましい。
【００２２】
上記の発明によれば、例えば、ユーザーが所定の機能を実行しながら歩いているときに所定の動作モードが設定されれば、上記と同様の効果が得られる。また、所定の動作モードが設定された際にのみ動画像が所定の機能に応じた表示と同時に表示部に表示されるので、動画像の表示が不要のときは動画像の表示を中止することできる。
【００２３】
また、前記撮影部の被写体までの距離を測定する距離測定部をさらに含み、前記撮影部は、前記距離測定部が測定した距離に基づいてオートフォーカスを行い、前記距離測定部が測定した距離に基づいて注意状態を認識する注意状態認識部と、前記注意状態認識部が前記注意状態を認識した際に警告を発する警告発生部とをさらに含むことが望ましい。
【００２４】
また、前記撮影部の被写体までの距離を測定する距離測定ステップと、前記距離測定ステップで測定した距離に基づいて前記撮像部のオートフォーカスを行うオートフォーカスステップと、前記距離測定ステップで測定した距離に基づいて注意状態を認識する注意状態認識ステップと、前記注意状態認識ステップで前記注意状態を認識した際に警告を発する警告発生ステップとをさらに含むことが望ましい。
【００２５】
上記の発明によれば、オートフォーカス用に測定した距離を注意状態判定用としても利用することができる。
【００２６】
また、道路交通情報提供部が提供する道路交通情報を受信する受信部をさらに含み、前記注意状態認識部は、前記距離測定部が測定した距離と前記道路交通情報とに基づいて注意状態を認識することが望ましい。また、道路交通情報提供部が提供する道路交通情報を受信する受信ステップをさらに含み、前記注意状態認識ステップは、前記距離測定ステップで測定した距離と前記道路交通情報とに基づいて注意状態を認識することが望ましい。
【００２７】
上記の発明によれば、距離測定部が測定した距離と道路交通情報とに基づいて注意状態を認識するので、注意状態を正確に認識する精度の向上が図れる。
【００２８】
また、道路交通情報提供部が提供する道路交通情報を受信する受信部と、前記道路交通情報に基づいて注意状態を認識する注意状態認識部と、前記注意状態認識部が前記注意状態を認識した際に警告を発する警告発生部とをさらに含むことが望ましい。また、道路交通情報提供部が提供する道路交通情報を受信する受信ステップと、前記道路交通情報に基づいて注意状態を認識する注意状態認識ステップと、前記注意状態認識部が前記注意状態を認識した際に警告を発する警告発生ステップとをさらに含むことが望ましい。
【００２９】
上記の発明によれば、道路交通情報に基づいて警告を行うことが可能となる。
【００３０】
また、前記警告発生部は、警告音または警告を通知する音声または振動によって前記警告を発することが望ましい。また、前記警告発生ステップは、警告音または警告を通知する音声または振動によって前記警告を発することが望ましい。
【００３１】
また、前記警告発生部は、前記警告としての警告表示を行う前記表示部であることが望ましい。また、前記警告発生ステップは、前記警告としての警告表示を行うことが望ましい。
【００３２】
また、前記警告表示は、前記注意状態を認識していない場合の前記動画像より画面の大きい前記動画像であることが望ましい。
【００３３】
また、前記表示部は、前記警告表示と前記動画像とを同時に表示することが望ましい。また、前記表示ステップは、前記警告表示と前記動画像とを同時に表示することが望ましい。
【００３４】
また、前記警告表示は、前記動画像の点滅表示であることが望ましい。
【００３５】
また、加速度センサをさらに含み、前記撮影部は、前記加速度センサが所定の加速度以上の加速度を検出した際に、静止画を撮影することが望ましい。また、前記携帯情報装置の加速度を検出する加速度検出ステップと、前記撮影部は、前記加速度検出ステップで所定の加速度以上の加速度を検出した際に前記撮像部で静止画を撮影する静止画撮影ステップとをさらに含むことが望ましい。
【００３６】
上記の発明によれば、例えば、事故により加速度センサが所定の加速度以上の加速度を検出した際に、撮影部は事故に関係する静止画を撮影することが可能となり、事故に関連する証拠を自動的に取得することが可能となる。
【００３７】
また、前記撮影部の撮影画像に基づいて周囲の状況を認識する状況認識部をさらに含み、前記表示部は、前記状況認識部が認識した周囲の状況を表示することが望ましい。また、前記撮影部の撮影画像に基づいて周囲の状況を認識する状況認識ステップと、前記状況認識ステップで認識した周囲の状況を表示する周囲状況表示ステップとを含むことが望ましい。
【００３８】
上記の発明によれば、ユーザーは周囲の状況を簡単に確認することが可能となる。
【発明の効果】
【００３９】
本発明によれば、周囲を示す映像と所定の機能に関する表示とが同一の表示部に表示されるため、携帯情報装置を利用して所定の機能を実行しながら歩行している場合でも周囲の状況を把握することが可能となる。
【００４０】
また、撮影部のオートフォーカス用の距離測定部で物体までの距離を算出できるため、周囲（例えば前方）の障害物が一定距離内にあるかないか判断し、周囲（例えば前方）の障害物が一定距離内にある場合は、ユーザーに注意を促すことができる。
【００４１】
したがって、安全な歩行が可能となり、また、目標となる地点を見逃す可能性を少なくできる。
【発明を実施するための最良の形態】
【００４２】
以下、本発明の一実施例を図面を参照して説明する。
【００４３】
図１は、本発明の一実施例の携帯情報装置としての携帯電話端末１の外観を示した平面図である。なお、図１（ａ）は、携帯電話端末１の正面を示した平面図であり、図１（ｂ）は携帯電話端末１の背面を示した平面図である。
【００４４】
本実施例では、携帯電話端末１は、所定の機能としての電子メール機能およびインターネット閲覧機能を有する。
【００４５】
図１において、携帯電話端末１は、撮影部としてのデジタルカメラ（以下「カメラ」と称する）１１と、表示部としてのディスプレイ１２と、操作部１３とを含む。
【００４６】
カメラ１１は携帯電話端末１の背面に配置されており、ディスプレイ１２および操作部１３とは、携帯電話端末１の正面に配置されている。よって、ユーザーがディスプレイ１２を見たとき、カメラ１１はユーザーの正面方向の状況（周囲の状況）を撮影することが可能になる。なお、カメラ１１は、オートフォーカス機能を有することが望ましい。
【００４７】
ディスプレイ１２は、カメラ１１によって撮影された映像（動画像）を表示することが可能である。また、ディスプレイ１２は、電子メール機能に応じた表示およびインターネット閲覧機能に応じた表示を行うことが可能である。
【００４８】
また、ディスプレイ１２は、電子メール機能に応じた表示とカメラ１１が撮影した動画像とを同時に表示でき、また、インターネット閲覧機能に応じた表示とカメラ１１が撮影した動画像とを同時に表示できる。
【００４９】
操作部１３は、ユーザーによって操作されることによって、例えば、電話番号の入力、電子メールの作成入力およびインターネット閲覧指示の入力を受け付ける。
【００５０】
図２は、携帯電話端末１の一例を示したブロック図である。なお、図２において、図１に示したものと同一構成のものには同一符号を附してある。
【００５１】
図２において、携帯電話端末１は、カメラ１１と、警告発生部としてのディスプレイ１２と、操作部１３と、送信回路１４と、受信回路１５と、アンテナ１６と、マイク１７と、警告発生部としてのスピーカ１８と、警告発生部としてのバイブレータ１９と、距離測定部２０と、加速度センサ２１と、受信部２２と、制御回路２３とを含む。
【００５２】
送信回路１４は、携帯電話用の無線信号と、電子メール用の無線信号と、インターネット閲覧用の無線信号とをアンテナ１６から送信する。受信回路１５は、携帯電話用の無線信号と、電子メール用の無線信号と、インターネット閲覧用の無線信号とをアンテナ１６から受信し、受信した信号を制御回路２３に供給する。制御回路２３は、ユーザーにより操作部１３の操作に基づいて送信回路１４および受信回路１５とを制御し、携帯電話、電子メールおよびインターネット閲覧とを実行する。
【００５３】
マイク１７は、ユーザーの声を受け付け、受け付けたユーザーの声に応じた信号を制御回路２３に供給する。スピーカ１８は、制御回路２３から供給される音響信号に応じた音を出力する。バイブレータ１９は、制御回路２３から供給される振動信号に応じて振動を行う。
【００５４】
距離測定部２０は、カメラ１１の被写体までの距離を測定する。加速度センサ２１は、携帯電話端末１の加速度を検出する。受信部２２は、非接触ICチップ、Bluetoothまたは無線ＬＡＮなどの近距離無線機能を有し、信号機等の道路交通情報提供部が提供する道路交通情報を受信する。
【００５５】
制御回路２３は、コンピュータであり、制御回路２３内のメモリ（不図示）に記憶された制御プログラムに従って携帯電話端末１全体の動作を制御する。なお、図２では、制御回路２３が制御回路２３内のメモリに記憶された制御プログラムを実行することによって実現される機能を機能ブロック（カメラ制御部２３ａと、注意状態認識部２３ｂと、所定機能実行部２３ｃと、モード設定部２３ｄおよび表示制御部２３ｅ）として示している。
【００５６】
制御回路２３は、カメラ制御部２３ａと、注意状態認識部２３ｂと、所定機能実行部２３ｃと、モード設定部２３ｄと、表示制御部２３ｅとを含む。
【００５７】
カメラ制御部２３ａは、カメラ１１を制御する。例えば、カメラ制御部２３ａは、距離測定部２０が測定した被写体距離に基づいてカメラ１１にオートフォーカスを実行させる。また、カメラ制御部２３ａは、加速度センサ２１が所定の加速度以上の加速度を検出した際に、カメラ１１に静止画を撮影させ、撮影された静止画を保存する。
【００５８】
なお、カメラ制御部２３ａは、カメラ１１にオートフォーカスを実行させなくてもよく、また、カメラ１１に静止画を撮影させなくてもよい。この場合、加速度センサ２１を省略してもよく、また、距離測定部２０を省略してもよい。
【００５９】
注意状態認識部２３ｂは、距離測定部２０が測定した距離に基づいて注意状態を認識する。具体的には、注意状態認識部２３ｂは、距離測定部２０が測定した距離が予め設定された所定の距離より短い場合、障害物が近くにある注意状態であると認識する。
【００６０】
また、注意状態認識部２３ｂは、受信部２２が受信した道路交通情報に基づいて注意状態を認識する。例えば、注意状態認識部２３ｂは、受信部２２が道路交通情報として信号機から「止まれ」というような危険状態を示す道路交通情報を受信した際に、注意状態であると認識する。
【００６１】
なお、本実施例では、注意状態認識部２３ｂは、距離測定部２０が測定した距離と受信部２２が受信した道路交通情報とに基づいて注意状態を認識しているが、注意状態認識部２３ｂは、距離測定部２０が測定した距離のみ、または受信部２２が受信した道路交通情報のみに基づいて注意状態を認識するようにしてもよい。
【００６２】
注意情報認識部２３ｂは、注意状態を認識すると、スピーカ１８に警告用音響信号を出力し、スピーカ１８から警告を示す音（例えば、警告音または危険を伝える言葉）を出力させる。また、注意情報認識部２３ｂは、注意状態を認識すると、バイブレータ１９に振動信号を出力し、バイプレータ１９を振動させる。
【００６３】
また、注意情報認識部２３ｂは、注意状態を認識すると、表示制御部２３ｅに警告表示信号を出力する。表示制御部２３ｅは、警告表示信号を受信すると、ディスプレイ１２に警告表示を実行させる。
【００６４】
なお、注意情報認識部２３ｂは注意状態を認識した際、スピーカ１８から警告音のみを発生させてもよいし、スピーカ１８から警告を示す音声のみを発生させてもよいし、バイプレータ１９のみを振動させてもよいし、ディスプレイ１２に警告表示のみを行わせてもよいし、これらのいずれかを組み合わせて警告を実行させてもよい。
【００６５】
なお、注意情報認識部２３ｂを省略してもよい。この場合、距離測定部２０を省略してもよいし、また、受信部２２を省略してもよい。
【００６６】
所定機能実行部２３ｃは、電子メール機能を実行する電子メール機能部２３ｃ１と、インターネット閲覧機能を実行するブラウザ機能部２３ｃ２とを含む。所定機能実行部２３ｃは、カメラ１１による撮影と異なる所定の機能を実行する。本実施例では、所定機能実行部２３ｃは、ユーザーによって操作部１３が操作されることにより、電子メール機能またはブラウザ機能を実行する。
【００６７】
所定機能実行部２３ｃは、電子メール機能とブラウザ機能とのいずれかを実行する際、実行する機能に応じた表示を実行するための表示信号を表示制御部２３ｅに供給する。
【００６８】
モード設定部２３ｄは、ユーザーによって操作部１３が操作されることにより、所定の動作モードとしての歩行モードを自己に設定する。なお、モード設定部２３ｄに設定された歩行モードは、ユーザーによって操作部１３が操作されることにより、解除することができる。
【００６９】
表示制御部２３ｅは、ディスプレイ１２の表示を制御する。
【００７０】
例えば、表示制御部２３ｅは、所定機能実行部２３ｃから供給される表示信号に基づいた表示とカメラ１１によって撮影された動画像とをディスプレイ１２に同時に表示させる。
【００７１】
具体的には、表示制御部２３ｅは、モード設定部２３ｄに歩行モードが設定されていると、カメラ１１を動作させ、カメラ１１が撮影した動画像を受け取り、ディスプレイ１２の一部にカメラ１１が撮影した動画像を表示させる。このとき、表示制御部２３ｅが所定機能実行部２３ｃから表示信号を受けていると、表示制御部２３ｅは、表示信号に応じた表示をカメラ１１によって撮影された動画像と一緒にディスプレイ１２に表示させる。
【００７２】
なお、表示制御部２３ｅは、モード設定部２３ｄで歩行モードが設定されている場合にのみ、所定の機能に応じた表示とカメラ１１によって撮影された動画像とをディスプレイ１２に同時に表示させる。
【００７３】
図３は、ディスプレイ１２が、表示信号に基づいた所定の機能に応じた表示とカメラ１１によって撮影された動画像とを同時に表示している状態の一例を示した説明図である。なお、図３において、図１または図２に示したものと同一構成のものには同一符号を附してある。また、図３は、所定の機能として電子メール機能が実行されている例を示している。
【００７４】
図３において、ディスプレイ１２は、ディスプレイ１２の表示領域の一部に小ウインドウ１２ａを設け、小ウインドウ１２ａ内にカメラ１１によって撮影された動画像を表示し、他の表示領域で電子メール機能に応じた表示を行う。
【００７５】
図２に戻って、表示制御部２３ｅは、注意状態認識部２３ｂから警告表示信号を受けると、ディスプレイ１２に警告表示を実行させる。
【００７６】
次に、動作を説明する。
【００７７】
ユーザーが歩行中に携帯電話端末１を使用する場合、ユーザーは操作部１３を操作してモード設定部２３ｄに歩行モードを設定する。
【００７８】
表示制御部２３ｅは、歩行モードが設定されたことを認識すると、カメラ１１を起動させる。カメラ１１はユーザーの周囲の映像、具体的には進行方向の映像を撮影し、撮影した映像（動画像）を表示制御部２３ｅに出力する。表示制御部２３ｅは、カメラ１１が撮影した映像（動画像）をディスプレイ１２の小ウインドウ１２ａに表示させる。
【００７９】
このとき、電子メール機能部２３ｃ１またはブラウザ機能部２３ｃ２が動作していると、表示制御部２３ｅは所定機能実行部２３ｃから供給される表示信号に応じた表示を、ディスプレイ１２の小ウインドウ１２ａと異なる表示領域に実行させる（図３参照）。
【００８０】
本実施例では、小ウインドウ１２ａの大きさをディスプレイ１２の半分以下にすることによって、カメラ１１からの映像が所定の機能に応じた表示の邪魔にならないようにしている。
【００８１】
小ウインドウ２１には、ユーザーの前方の映像が表示されるので、ユーザーは所定の機能（例えば、電子メール機能またはインターネット閲覧機能）が実行されるディスプレイ１２を見ながら、前方（周囲）の状況を自分の目で判断することができる。よって、ユーザーが携帯電話端末１の所定の機能を実行しながら歩いていても、周囲の障害物を確認しやすくなり、また、目標となる地点を見逃す可能性を少なくできる。
【００８２】
なお、ユーザーがディスプレイ１２にカメラ１１が撮影した映像を表示したくないと感じたときは、ユーザーは操作部１３を操作して歩行モードを解除する。歩行モードが解除されると、表示制御部２３ｅは、カメラ１１の動作を停止し、ディスプレイ１２の小ウインドウ１２ａにカメラ１１が撮影した映像（動画像）を表示させることを中止する。
【００８３】
本実施例では、歩行モードが設定された際にのみ動画像が所定の機能に応じた表示と同時にディスプレイ１２に表示されるので、動画像の表示が不要のときは動画像の表示を中止することができる。
【００８４】
また、携帯電話端末１が、距離測定部２０とカメラ制御部２３ａと注意状態認識部２３ｂとを含んでいる場合、注意状態認識部２３ｂは、距離測定部２０が測定するオートフォーカス用の距離が予め設定された所定の距離より短い場合、障害物が近くにある注意状態であると認識する。
【００８５】
図４は、注意状態認識部２３ｂが行う注意状態の認識動作を説明するための説明図である。なお、図４において、図１に示したものと同一構成のものには同一符号を附してある。
【００８６】
図４において、ユーザー５１が歩きながら携帯電話端末１を操作している際に、携帯電話端末１からカメラ１１の被写体である物体６０までの距離が、予め設定された所定の距離（障害物認識距離）６１よりも短いと、注意状態認識部２３ｂは注意状態であると認識する。
【００８７】
注意情報認識部２３ｂは、注意状態を認識すると、スピーカ１８に警告用音響信号を出力し、スピーカ１８から警告を示す音（例えば、警告音「ピピピッ」または危険を伝える言葉「障害物があります。注意してください」）を出力させる。また、注意情報認識部２３ｂは、注意状態を認識すると、バイブレータ１９に振動信号を出力し、バイプレータ１９を振動させる。
【００８８】
また、注意情報認識部２３ｂは、注意状態を認識すると、表示制御部２３ｅに警告表示信号を出力する。表示制御部２３ｅは、警告表示信号を受信すると、ディスプレイ１２に警告表示を実行させる。
【００８９】
図５は、ディスプレイ１２に表示される警告表示の例、スピーカ１８による警告の例およびバイブレータ１９による警告の例を示した説明図である。なお、図５において、図３に示したものと同一構成のものには同一符号を附してある。
【００９０】
図５（ａ）は、注意情報認識部２３ｂが注意状態を認識していないときのディスプレイ１２の表示例を示した説明図である。
【００９１】
図５（ｂ）〜図５（ｄ）は、ディスプレイ１２に表示される警告表示の例を示した図である。
【００９２】
図５（ｂ）は、小ウインドウ１２ａの大きさを図５（ａ）に示した小ウインドウ１２ａよりも大きくした警告表示を示した図である。
【００９３】
図５（ｃ）は、ディスプレイ１２に警告表示１２ｂを表示（ポップアップ表示）させ、警告表示１２ｂとカメラ１１によって撮影された映像とを同時に表示させる例を示した図である。
【００９４】
図５（ｄ）は、小ウインドウ１２ａを点滅させることによって警告表示を行う例を示した図である。
【００９５】
図５（ｅ）〜図５（ｆ）は、スピーカ１８による警告の例を示した図である。図５（ｅ）は、音声によって警告を通知する例を示した図であり、図５（ｆ）は警告音によって警告を通知する例を示した図である。
【００９６】
図５（ｇ）は、バイブレータ１９による振動によって警告を通知する例を示した図である。
【００９７】
なお、携帯電話端末１が、加速度センサ２１とカメラ制御部２３ａとを含んでいる場合、加速度センサ２１が携帯電話端末１の急激な動き、具体的には所定の加速度以上の加速度を検出した場合、カメラ制御部２３ａは、カメラ１１の画像を静止画として保存する。
【００９８】
したがって、例えば、歩行中の事故またはハプニングより加速度センサ２１が所定の加速度以上の加速度を検出した際に、カメラ１１は事故またはハプニングに関係する静止画を撮影することが可能となり、事故またはハプニングに関連する証拠（静止画）を自動的に取得することが可能となる。
【００９９】
また、表示制御部２３ｅが、カメラ１１の撮影画像に基づいて周囲の状況を認識し、認識した状況をディスプレイ１２に表示させるようにしてもよい。例えば、表示制御部２３ｅが、カメラ１１の撮影画像を画像処理して、撮影画像に含まれる物体を認識したり、撮影画像に含まれる交通標識および信号の色を検出したりする。表示制御部２３ｅは、その認識結果をディスプレイ１２に表示させる。この場合、ユーザーはより多彩な情報を簡単に得ることができる。
【０１００】
また、携帯電話端末１が、受信部２２と、注意状態認識部２３ｂとを含んでいる場合、受信部２２と、信号機または交通標識といった道路交通情報提供部との間で道路交通情報をやり取りし、携帯電話端末１のユーザーに交通情報を提供することが可能となる。
【０１０１】
図６は、受信部２２および注意状態認識部２３ｂとを含んでいる携帯電話端末１の外観を示した平面図である。なお、図６（ａ）は、携帯電話端末１の正面を示した平面図であり、図６（ｂ）は携帯電話端末１の背面を示した平面図である。また、図６において、図１または図２に示したものと同一構成のものには同一符号を附してある。
【０１０２】
図７は、図６に示した携帯電話端末１と、道路交通情報提供部としての信号機３１および道路標識３２とを示した説明図である。なお、図７において、図６に示したものと同一構成のものには同一符号を附してある。
【０１０３】
携帯電話端末１は、非接触ICチップやBluetooth、無線LANなどの近距離無線通信にてデータを受信するための受信部２２を有する。
【０１０４】
一方、信号機３１および道路標識３２は、非接触ICチップやBluetooth、無線LANなどの近距離無線通信にて道路交通のデータを送信するためのデータ送信部４１を有する。
【０１０５】
信号機３１または道路標識３２のデータ送信可能範囲に携帯電話端末１が入った場合、信号機３１または道路標識３２のデータ送信部４１は、携帯電話端末１の受信部２２に道路交通のデータを送信する。なお、道路交通データは、信号機の存在、信号機が示している信号の状態または道路標識の内容など道路交通に関連する情報を示すデータである。
【０１０６】
歩行モードに設定されている携帯電話端末１の受信部２２は、道路交通のデータを受信し、受信した道路交通のデータを注意状態認識部２３ｂに出力する。
【０１０７】
注意状態認識部２３ｂは、受信部２２から供給される道路交通のデータに基づいて注意状態を認識する。例えば、注意状態認識部２３ｂは、受信部２２が道路交通のデータとして信号機から「止まれ」というような危険状態を示す道路交通のデータを受信した際に、注意状態であると認識する。
【０１０８】
注意状態認識部２３ｂは注意状態を認識すると、例えば、図５に示したように、スピーカ１８から警告音のみを発生させたり、スピーカ１８から警告を示す音声のみを発生させたり、バイプレータ１９のみを振動させたり、ディスプレイ１２に警告表示のみを行わせたりする。なお、注意状態認識部２３ｂは注意状態を認識した際に、これらの警告のいずれかを組み合わせて警告を実行させてもよい。よって、携帯電話端末１は、道路交通のデータに基づいて警告を行うことが可能となる。
【０１０９】
また、注意状態認識部２３ｂが、受信部２２から供給される道路交通のデータに加えて、距離測定部２０が測定した距離も受け付ける場合、注意状態認識部２３ｂは、受信部２２が受信した道路交通のデータとに基づいて注意状態を認識し、かつ、距離測定部２０が測定した距離に基づいて注意状態を認識する。この場合、距離測定部２０が測定した距離と道路交通のデータとに基づいて注意状態を認識するので、注意状態を正確に認識する精度の向上が図れる。
【０１１０】
以上説明した実施例において、図示した構成は単なる一例であって、本発明はその構成に限定されるものではない。
【０１１１】
例えば、所定の機能は、電子メール機能またはインターネット閲覧機能に限るものではなく適宜変更可能である。
【０１１２】
また、ディスプレイ１２上の小ウインドウ１２ａの位置も上記に限るものではなく適宜変更可能である。
【０１１３】
また、本実施例では、携帯情報装置として、携帯電話機能を含む携帯電話端末を用いたが、携帯情報装置は、携帯電話機能を有する携帯情報装置に限るものではなく適宜変更可能である。
【図面の簡単な説明】
【０１１４】
【図１】本発明の一実施例の携帯情報装置を示した平面図である。
【図２】携帯情報装置の一例を示したブロック回路図である。
【図３】携帯情報装置のディスプレイの表示の一例を示した説明図である。
【図４】携帯情報装置による注意状態の認識の一例を説明するための説明図である。
【図５】携帯情報装置のディスプレイの表示の一例を示した説明図である。
【図６】本発明の他の実施例の携帯情報装置を示した平面図である。
【図７】図６に示した携帯情報装置の使用例を示した説明図である。
【符号の説明】
【０１１５】
１      携帯電話端末
１１      カメラ
１２      ディスプレイ
１２ａ    小ウインドウ
１２ｂ    警告表示
１３      操作部
１４      送信回路
１５      受信回路
１６      アンテナ
１７      マイク
１８      スピーカ
１９      バイブレータ
２０      距離測定部
２１      加速度センサ
２２      受信部
２３      制御回路
２３ａ    カメラ制御部
２３ｂ    注意状態認識部
２３ｃ    所定機能実行部
２３ｃ１  電子メール機能部
２３ｃ２  ブラウザ機能部
２３ｄ    モード設定部
２３ｅ    表示制御部
３１      信号機
３２      道路標識
４１      データ送信部
５１      ユーザー
６０      物体
６１      障害物認識距離
【図１】
2005136695.tif 000003
【図２】
2005136695.tif 000004
【図３】
2005136695.tif 000005
【図４】
2005136695.tif 000006
【図５】
2005136695.tif 000007
【図６】
2005136695.tif 000008
【図７】
2005136695.tif 000009